(57)【要約】      （修正有）【課題】通常、家庭に於いて、お酒を銚子に注ぎ込む際には漏斗（じょうごとも言う。）を使用する。この時、銚子に注ぎ込む量が解らず、銚子から溢れでる問題がある。【解決手段】漏斗１に、銚子１０内の水位を検知するフロート４を設け、該フロートの頂部に注水管口を開閉する手段を設け、該開閉手段部に検知棒５を取付けて、該検知棒が漏斗の内部を上下動可能な支持環６等で支持し更に、該検知棒にはフロートの位置がわかる標識１２が施されている。【選択図】図４
2015039468.tif 000002
【特許請求の範囲】
【請求項１】
お酒とかお湯等を受ける受水胴部（２）に銚子とか湯たんぽ等の注水口に挿入可能な
注水管（３）が取付けて成る漏斗（１）に、銚子等の容器内に注ぎ込まれた水位を検知
するフロート（４）の頂部に前記注水管（３）の口部（３１）を開閉する手段を設け、  
該開閉手段部に検知棒（５）を取付け、該検知棒（５）が前記注水管内部を貫通し前記
受水胴部（２）の内部を上下動可能に支持環等で支持し、該支持環の少なとも１支持環
の部位を基点にして、該フロートの位置がわかるように前記検出棒に位置目印が施され
ていることを特徴と注水漏れ防止機能付き漏斗。
【請求項２】
前記注水管口（３１）を開閉する手段が、注水管口部（３１）と嵌合する弁部（７）
機能をフロート（４）の頂部に設けたことを特徴とした請求項１記載の注水漏れ防止機
能付き漏斗。
【請求項３】
前記注水管口（３１）を開閉する手段が、注水管口部（３１）と螺合する蓋（８）が
フロート（４）の頂部に設けたことを特徴とした請求項１記載の注水漏れ防止機能付き
漏斗。
【請求項４】
前記フロートと注入管口部（３１）との位置目印用に色分けした標識が前記検知棒に
施されていることを特徴とした請求項１乃至３いずれか1項に記載の注水漏れ防止機能
付き漏斗。
【発明の詳細な説明】
【技術分野】
【０００１】
本発明は、お酒やお湯等の液体を容器に注水する際に使用する漏斗に関するものである。
【背景技術】
【０００２】
通常、家庭に於いて、お酒を銚子に注ぎ込む際には漏斗（じょうごとも言う。）を使用する。この時、銚子に注ぎ込む量の判断がし難く、銚子から溢れ出ることがある。そこで、銚子の下に皿等を置き、溢れ出たお酒を瓶等に戻している。
また、他の使用例として、最近は電気料金の高騰があって、暖房用に湯たんぽを使用する家庭が多くなった。この際にも、湯たんぽから高温のお湯が溢れ出て火傷する危険性も考えられる。
そこで上記のような不便や危険性を解消する手段として、工業用では半導体処理液
用に特開昭４８−１１５７７８号でストッパーを装着した漏斗や、バッテリ液用に登
録実用新案第３０３３４６６号で水位計を設けた漏斗が提案されている。
【先行技術文献】
【特許文献】
【０００３】
【特許文献１】特開昭４８−１１５７７８号
【特許文献１】登録実用新案第３０３３４６６号
【発明の概要】
【発明が解決しようとする課題】
【０００４】
しかしながら、提案されている漏斗は工業用であり、又、バッテリ特有の容器に使用する漏斗であるので、一般家庭で使用する漏斗としては種々使い勝手が悪く使用上改善すべき点が多々あり普及されていないのが現状である。
その改善点は
１  銚子内の水位がどこからでも容易に見えること。
２  注水を止める方法、機能が簡便で容易であること。  
３  飲料用品として使用するので  分解清掃が容易であること。
４  漏斗に残った液を他の容器に移し替えが容易であること。
等が要求される、
そこで、本発明は、水位がどこからでも見え、銚子等への注水を容易に止められ、漏斗に残った液を容易に移し替えができ、更に、分解、洗浄が容易な漏斗を提案する。
即ち、分解が容易で、注水漏れを防止する機能付き漏斗を提供するものである。
【課題を解決するための手段】
【０００５】
本発明は、お酒とかお湯を受ける受水胴部（２）に銚子とか湯たんぽ等の注水口に挿
入可能な注水管（３）を取付けて成る漏斗（１）に於いて、銚子等の容器に注ぎ込まれ
る水位を検知するフロート部（４）に注水管口（３１）を開閉する手段を設け、該開閉
手段部に検知棒（５）を取付けて、該検知棒（５）が前記注水管内部（３）を貫通し受
水胴部（２）の内部を上下動可能に支持環等（６）（６１）で支持する。
更に、該検知棒にはフロートの位置が判る標識（１２）が施されていることを特徴と
した注水漏れ防止機能付き漏斗である。
【０００６】
本発明を更に詳細に述べる。
前記フロートの頂部に、漏斗の注水管口（３１）を閉塞、開放する機能を設け、その
機能の一例として、図１の様に注水口に挿入されて嵌合する弁部（７）とか、図２の様
に蓋（８）を螺合して閉塞開放する手段等がある。
これら嵌合や螺合の作用は、浮力によって完全に自動的行われるのではなく、注水者
が水位を見ながら手動で検知棒を引き上げ、又は、回動して行うものである。
このように手動で注水管口を閉塞、開放することによって、漏斗の残った液を他の容
器に戻す動作も容易になる。この機構は最も簡便であって本願の大きな特徴である。
【０００７】
フロートの浮力によって上下動する検知棒は常に注水管の中心に安定さすことが要求
される。  この為には、胴体部或いは注水管部で支持環を設けた。
又、フロートの位置がどこからでも見えるように、例えば、胴体部（２）上部の支持
環部（６）を基点にして検知棒にフロート部が注水管口に接する近傍を赤色に、１cｍ下
方を黄色に、それ以上下方を青色に色分けした標識（１２）を施した。
本願では色分け以外に数値目盛を付けた検知棒でもよい。特に限定しないが色分け標
識がどこからでも見えるので好ましい。
【発明の効果】
【０００８】
本発明は、上記の様な構造をした注水漏れ防止機能付き漏斗であるので、
１  銚子等の容器内の水位がどこからでも見えるように検知棒と支持環にその機能
を持たせてあるので、注水者のどのような姿勢でも、その目線で水位の確認
出来る。
更に、注水止めや、注水管口の閉塞、開放動作が容易になり非常に便利である。
２  フロート部に閉塞機能を設けているので、検知棒を上下や回転さすだけで容易
に注水管口の閉塞開放ができる。このように、注水管口の開閉を容易に手動で
出来ることも本願特有の大きな特徴である。  
３  飲料水等に使用するので、分解清掃出来ることが最も必要な要件である。
本願の検知棒やフロート機構等が容易に分解可能なので、清掃が容易である。
４  手動で注水口の開閉ができるので、漏斗に残った液を他の容器に、容易に移し
替えが出来る。
上記の効果は日常家庭内で使用する炊事用漏斗しては最も大切な要件である。
漏斗という狭い分野であるが、その効果は従来品にない顕著なものがあると考える。
【図面の簡単な説明】
【０００９】
【図１】本発明の第１実施例を示す斜視図である。
【図２】本発明の第２実施例を示す正面断面図である
【図３】本発明の第３実施例を示す正面断面図である。
【図４】本発明の第１実施例の使用状態を示す斜視図である。
【発明を実施するための形態】
【００１０】
本発明の基本は通常の漏斗に浮力を作用さすフロートと、該フロートに位置を検知
する検出棒と、該検知棒が安定して自在に上下動できる支持環と、更に、前記フロー
トに漏斗の注水管口を手動で開閉さす手段を持たせた注水漏れ防止機能付き漏斗であ
るが、そこには下記実施例に示す新たな手段で構成されている。
【実施例】
【００１１】
第1実施例を図１に示し、図に基づき説明する。
お酒とかお湯を受ける受水胴部（２）に銚子とか湯たんぽ等の注水口に挿入する小
径の注水管（３）を取付けて成る漏斗（１）に、銚子等の容器に注水される水位を検
知する為のフロート（４）の頂部には注水管口部を閉塞、又は、開放する機能を持た
せた弁部（７）を設け、その弁部に検知棒（５）を結合した。
該検知棒が前記注水管（３）の内部を貫通し受水胴部（２）の内部に自在に上下
動可能に支持環等（６）で支持されている。該支持環（６）は受水胴体部の頂部と下
方部（６１）に２箇所に設けた。  頂部に設けた支持環（６）は取り外し可能に嵌合
してある。
尚、検知棒（５）の先端（５１）部を図示ように折り曲げて、検知棒が必要以上落
下しないようにしてある。  検知棒を引き抜く時には真っ直ぐに折り返せばよい。
この折り曲げ機構はピン方式でもよいし、ジャバラ方式でもよい。
弁部（７）で注入口を閉塞又は開放する場合に、該検知棒を手で上下すればよい。
この作業は容易簡便でしかも確実である。
注ぎ込まれた水位の位置、即ちフロートの位置を上部支持環（６）部位で確認でき
位置目印用として、検知棒に上方から下方に向かって青色、黄色、赤色と色分けした
標識を施した。
この色分けは前記したように、フロートの位置が注水管口（３１）近傍で危険領域
になれば赤色、少々余裕があり注意領域では黄色、安全領域では青色と色分けした。
【００１２】
第２実施例を図２に示し、図に基づき説明する
前記第１実施例との相異点を記す。
注水口の閉塞開放手段はフロート（４）部に蓋（８）を設け、該蓋には注水口部（３
１）に螺合させて閉塞開放さすものである。  検知棒は蓋の中央部（５１）で螺合止
めしてある。又、支持環（６１）を注水管内部に取付けた。  尚、胴体部の頂部には
支持環（６）を第１実施例と同様に嵌合してある。    
更に、検知棒の頂部をＴ字状にして回転を容易にした。
又に、蓋を検知棒と螺合止めにしてあるので分解が容易である。
【００１３】
第３実施例の図３に示し、図に基づき説明する
前記第１実施例との相異点を記す。
フロート（４）の弁部（７）が注入管口部（３１）に容易に侵入する様に、ガイド
管（９）を注入管に取付けた。  更に、該ガイド管には水が銚子内に流出する開口部
（９１）を設けてある。
上部支持環（６）を受水胴体の頂部ではなくやや下方に取付けた。
支持環の取付け位置は特に特定しないが、少なくとも１本は頂部に取付けフロートの
位置確認用に用いた方が好ましい。  その理由は使用される液が濁酒のように色付液
体もあるからである。
【符号の説明】
【００１４】
１    漏斗
２    受水胴部
２１  受水胴部の頂部  
３    注水管
３１  注水口
４    フロート
５    検知棒
５１  検知棒頂部を折り曲げた部
５２  検知棒頂部をＴ字状にした。
６    上部支持環
６１  下部支持環
７    弁部
８    蓋
９    ガイド管
９１  ガイド管の開口部
１０  銚子
１１  容器
１２  検知棒にフロートの位置目印用標識
【図１】
2015039468.tif 000003
【図２】
2015039468.tif 000004
【図３】
2015039468.tif 000005
【図４】
2015039468.tif 000006